(57)【特許請求の範囲】
【請求項１】
ワイヤレス通信システムにおいてアクセスネットワークを識別するための方法であって、
パブリックランドモバイルネットワーク識別子(PLMN-ID)および追加の識別子に基づいてアクセスネットワーク識別のための方式を決定するステップと、
前記アクセスネットワークから、前記PLMN-IDおよび前記追加の識別子を含むブロードキャスト情報を受信するステップであり、前記追加の識別子が、ネットワークタイプ、ネットワークID、およびセルIDを含む下位識別子の区分を含み、前記区分が、前記追加の識別子に割り振られた可変ビット空間に少なくとも部分的に基づき、前記可変ビット空間が、前記ネットワークタイプに少なくとも部分的に基づいて定義され、前記ネットワークタイプが1ビットまたは3ビットの長さを有し、前記アクセスネットワークが大規模インターネットサービスプロバイダ(ISP)ネットワークである場合、前記ネットワークタイプは1ビットの長さを有する、ステップと、
前記アクセスネットワークが前記追加の識別子を利用する前記ネットワークタイプのネットワークに属することを決定するステップと、
前記ネットワークタイプおよび前記決定された方式に基づいて前記PLMN-IDと前記追加の識別子の組合せを使用して前記アクセスネットワークを識別するステップと
を含む方法。
【請求項２】
前記追加の識別子が、1つまたは複数の既存のフィールドを介して前記ブロードキャスト情報において受信され、前記1つまたは複数の既存のフィールドが、グローバルセルID(GCID)、PLMN-IDリスト、または限定加入者グループ識別子(CSG ID)を含み、前記方式が、下位識別子の前記区分に基づき、前記アクセスネットワークを識別するステップが、前記下位識別子を決定することに基づき、前記追加の識別子が、前記追加の識別子の情報を伝達するために定義された新しいフィールドを介して、前記ブロードキャスト情報において受信される、請求項1に記載の方法。
【請求項３】
前記アクセスネットワークに関連付けられたデジタル署名、デジタル証明書、または公開鍵のうちの少なくとも1つを含むセキュリティ情報に基づいて前記アクセスネットワークを認証するステップをさらに含む、請求項1に記載の方法。
【請求項４】
前記セキュリティ情報が前記ブロードキャスト情報において受信されるか、または前記セキュリティ情報が前記アクセスネットワークとの接続を確立した後に受信され、前記ネットワークタイプが、住宅ネットワークタイプ、企業ネットワークタイプ、およびISPタイプのうちの1つを含む、請求項3に記載の方法。
【請求項５】
前記方式がモバイルエンティティにおいて事前構成される、請求項1に記載の方法。
【請求項６】
前記方式を決定するステップが、ネットワークエンティティから識別子区分方式を受信することに基づく、請求項1に記載の方法。
【請求項７】
アクセスポイントによるワイヤレス通信のための方法であって、
アクセスネットワーク識別のための方式に基づいてパブリックランドモバイルネットワーク識別子(PLMN-ID)および追加の識別子をブロードキャストするステップであり、前記追加の識別子が、ネットワークタイプおよび前記方式に基づいてアクセスネットワークを識別するように構成され、前記追加の識別子が、前記ネットワークタイプ、ネットワークID、およびセルIDを含む下位識別子の区分を含み、前記区分が、前記追加の識別子に割り振られた可変ビット空間に少なくとも部分的に基づき、前記可変ビット空間が、前記ネットワークタイプに少なくとも部分的に基づいて定義され、前記ネットワークタイプが1ビットまたは3ビットの長さを有し、前記アクセスネットワークが大規模インターネットサービスプロバイダ(ISP)ネットワークである場合、前記ネットワークタイプは1ビットの長さを有する、ステップ
を含む方法。
【請求項８】
ブロードキャストするステップが、1つまたは複数の既存のフィールドを介して前記追加の識別子をブロードキャストするステップを含む、請求項7に記載の方法。
【請求項９】
前記追加の識別子が、前記追加の識別子の情報を伝達するために定義された新しいフィールドを介してブロードキャストされる、請求項7に記載の方法。
【請求項１０】
前記アクセスネットワークに関連付けられたデジタル署名、デジタル証明書、または公開鍵のうちの少なくとも1つを含む前記アクセスネットワークを認証するためのセキュリティ情報をブロードキャストするステップをさらに含む、請求項7に記載の方法。
【請求項１１】
前記方式が、下位識別子の前記区分に基づき、前記アクセスネットワークを識別するステップが、前記下位識別子を決定することに基づき、前記アクセスネットワークの前記追加の識別子が、前記方式に基づいて前記追加の識別子に割り振られた前記可変ビット空間に基づいて符号化される、請求項7に記載の方法。
【請求項１２】
ワイヤレス通信のための装置であって、
アクセスネットワーク識別のための方式に基づいてパブリックランドモバイルネットワーク識別子(PLMN-ID)および追加の識別子をブロードキャストするための手段であり、前記追加の識別子が、ネットワークタイプおよび前記方式に基づいてアクセスネットワークを識別するように構成され、前記追加の識別子が、前記ネットワークタイプ、ネットワークID、およびセルIDを含む下位識別子の区分を含み、前記区分が、前記追加の識別子に割り振られた可変ビット空間に少なくとも部分的に基づき、前記可変ビット空間が、前記ネットワークタイプに少なくとも部分的に基づいて定義され、前記ネットワークタイプが1ビットまたは3ビットの長さを有し、前記アクセスネットワークが大規模インターネットサービスプロバイダ(ISP)ネットワークである場合、前記ネットワークタイプは1ビットの長さを有する、手段と、
データを処理するための手段と、
データを記憶するための手段と
を含む装置。
【請求項１３】
ブロードキャストするための前記手段がさらに、アクセスポイントを認証するための署名をブロードキャストするように構成され、前記署名が、前記アクセスポイントの前記ネットワークタイプに関連付けられた割り振られた区分に少なくとも部分的に基づいて、前記アクセスポイントを認証する、請求項12に記載の装置。
【請求項１４】
ワイヤレス通信システムにおいてアクセスネットワークを識別するための装置であって、
パブリックランドモバイルネットワーク識別子(PLMN-ID)および追加の識別子に基づいてアクセスネットワーク識別のための方式を決定するための手段と、
前記アクセスネットワークから、前記PLMN-IDおよび前記追加の識別子を含むブロードキャスト情報を受信するための手段であり、前記追加の識別子が、ネットワークタイプ、ネットワークID、およびセルIDを含む下位識別子の区分を含み、前記区分が、前記追加の識別子に割り振られた可変ビット空間に少なくとも部分的に基づき、前記可変ビット空間が、前記ネットワークタイプに少なくとも部分的に基づいて定義され、前記ネットワークタイプが1ビットまたは3ビットの長さを有し、前記アクセスネットワークが大規模インターネットサービスプロバイダ(ISP)ネットワークである場合、前記ネットワークタイプは1ビットの長さを有する、手段と、
前記アクセスネットワークが前記追加の識別子を利用する前記ネットワークタイプのネットワークに属することを決定するための手段と、
前記ネットワークタイプおよび前記決定された方式に基づいて前記PLMN-IDと前記追加の識別子の組合せを使用して前記アクセスネットワークを識別するための手段と
を含む装置。
【請求項１５】
請求項１から１１のいずれか一項に記載の方法をデータ処理デバイスに実行させる実行可能な命令を記憶する非一時的コンピュータ可読記憶媒体。
【発明の詳細な説明】
【技術分野】
【０００１】
関連出願の相互参照
本特許出願は、本出願の譲受人に譲渡され、参照によりその全体が本明細書に明確に組み込まれる、2013年9月30日に出願された「PLMN-ID FOR NON-MNO (NMO) NETWORKS」と題する米国仮出願第61/884859号の優先権を主張する。
【０００２】
本開示の態様は、一般に、ワイヤレス通信システムに関し、より詳細には、パブリックランドモバイルネットワークに関する。
【背景技術】
【０００３】
ワイヤレス通信ネットワークは、音声、ビデオ、パケットデータ、メッセージング、ブロードキャストなどの、様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
ワイヤレス通信ネットワークは、たとえば移動局(STA)、ラップトップ、セルフォン、PDA、タブレットなど、いくつかのモバイルデバイスのための通信をサポートすることができるいくつかのアクセスポイントを含み得る。STAは、ダウンリンク(DL)およびアップリンク(UL)を介してアクセスポイントと通信し得る。DL(または順方向リンク)はアクセスポイントからSTAへの通信リンクを指し、かつUL(または逆方向リンク)はSTAからアクセスポイントへの通信リンクを指す。
【発明の概要】
【課題を解決するための手段】
【０００５】
ワイヤレス通信におけるアクセスネットワークを識別するための方法および装置が発明を実施するための形態に詳述されており、いくつかの態様は以下で要約される。この発明の概要および以下の発明を実施するための形態は、統合された開示の補完的な部分と解釈されるものとし、その部分は、冗長な主題および/または補足的な主題を含み得る。いずれかのセクションにおける省略は、統合された出願に記載されている任意の要素の優先順位または相対的重要度を意味するものではない。セクション間の違いは、それぞれの開示から明らかであるように、異なる用語を使用した代替実施形態、追加の詳細、または同一の実施形態の代替の説明の補足的な開示を含み得る。
【０００６】
一態様では、ワイヤレス通信システムにおいてアクセスネットワークを識別するための方法が提供される。この方法は、パブリックランドモバイルネットワーク識別子(PLMN-ID)および追加の識別子に基づいてアクセスネットワーク識別のための方式を決定するステップを含む。この方法は、アクセスネットワークから、PLMN-IDおよび追加の識別子を含むブロードキャスト情報を受信するステップを含む。この方法は、アクセスネットワークが追加の識別子を利用するアクセスネットワークのクラスに属することを決定するステップを含む。この方法は、アクセスネットワークのクラスおよび決定された方式に基づいてPLMN-IDと追加の識別子の組合せを使用してアクセスネットワークを識別するステップを含む。
【０００７】
別の態様では、ワイヤレス通信システムにおいてアクセスネットワークを識別するための装置が提供される。この装置は、パブリックランドモバイルネットワーク識別子(PLMN-ID)および追加の識別子に基づいてアクセスネットワーク識別のための方式を決定するための手段を含む。この装置は、アクセスネットワークから、PLMN-IDおよび追加の識別子を含むブロードキャスト情報を受信するための手段を含む。この装置は、アクセスネットワークが追加の識別子を利用するアクセスネットワークのクラスに属することを決定するための手段を含む。この装置は、アクセスネットワークのクラスおよび決定された方式に基づいてPLMN-IDと追加の識別子の組合せを使用してアクセスネットワークを識別するための手段を含む。
【０００８】
様々な態様を図示し説明する以下の詳細な説明から、当業者には他の態様が容易に明らかになることを理解されたい。図面および詳細な説明は、本質的に例示と見なされるべきであり、限定と見なされるべきではない。
【図面の簡単な説明】
【０００９】
【図１】電気通信システムの一例を概念的に示すブロック図である。
【図２】本開示の一態様により構成される、基地局/eNBおよびUEの設計を概念的に示すブロック図である。
【図３Ａ】例示的なPLMN-IDネットワーク識別子を示す図である。
【図３Ｂ】PLMN-IDおよび識別子サフィックスを含む例示的なネットワーク識別子を示す図である。
【図３Ｃ】Table 1(表1)に基づく例示的な識別子サフィックスを示す図である。
【図３Ｄ】Table 1(表1)に基づく例示的な識別子サフィックスを示す図である。
【図３Ｅ】Table 1(表1)に基づく例示的な識別子サフィックスを示す図である。
【図３Ｆ】Table 1(表1)に基づく例示的な識別子サフィックスを示す図である。
【図３Ｇ】Table 1(表1)に基づく例示的な識別子サフィックスを示す図である。
【図３Ｈ】Table 1(表1)に基づく例示的な識別子サフィックスを示す図である。
【図４】PLMN-IDと識別子サフィックスの組合せを使用したスモールセルの配備のための例示的なコールフロー図を示す図である。
【図５】スモールセルの認証を含むスモールセルの配備のための例示的なコールフロー図を示す図である。
【図６】アクセスネットワークを識別するための方法の実施形態を示す図である。
【図７】アクセスネットワークを識別するための方法のさらなる実施形態を示す図である。
【図８】図6の方法を実施するための例示的な装置を示す図である。
【図９】図7の方法を実施するための例示的な装置を示す図である。
【発明を実施するための形態】
【００１０】
ワイヤレス通信システムにおいてアクセスネットワークを識別するための技法について、本明細書で説明する。本明細書で説明する技法において、追加の識別子または識別子サフィックスと組み合わせて、アクセスネットワークを一意に識別しないことがあるPLMN-IDは、アクセスネットワークを一意に識別することが必要とされ得る。アクセスネットワークを一意に識別するための方法は、PLMN-IDおよび追加の識別子に基づいてアクセスネットワーク識別のための方式を決定するステップを含み得る。この方法は、アクセスネットワークが追加の識別子を利用するアクセスネットワークのクラスに属することを決定することができる。この方法は、したがって、アクセスネットワークのクラスおよび決定された方式に基づいてPLMN-IDと追加の識別子の組合せを使用してアクセスネットワークを識別することができる。
【００１１】
本開示では、「例示的」という言葉は、例、事例、または例示の働きをすることを意味するために使用される。「例示的」として本明細書に記載されるどの態様または設計も、必ずしも他の態様または設計よりも好ましいまたは有利なものとして解釈されるわけではない。そうではなくて、例示的という言葉の使用は、具体的な形で概念を提示することが意図されている。
【００１２】
添付図面に関連して以下に記載される詳細な説明は、様々な構成の説明として意図され、本明細書で説明する概念が実施され得る構成だけを示すことは意図されていない。詳細な説明は、様々な概念の完全な理解を与えるための具体的な詳細を含む。しかしながら、これらの概念がこれらの具体的な詳細なしに実施され得ることが、当業者には明らかであろう。いくつかの例では、そのような概念を曖昧にするのを防ぐために、よく知られた構造および構成要素がブロック図の形態で示されている。
【００１３】
本明細書で説明される技法は、CDMA、TDMA、FDMA、OFDMA、SC-FDMAおよび他のネットワークのような、様々なワイヤレス通信ネットワークに使用される場合がある。「ネットワーク」および「システム」という用語は、しばしば互換的に使用される。CDMAネットワークは、Universal Terrestrial Radio Access(UTRA)、CDMA2000などの無線技術を実装し得る。UTRAは、Wideband CDMA(WCDMA(登録商標))およびCDMAの他の変形形態を含む。CDMA2000は、IS-2000規格、IS-95規格およびIS-856規格を包含する。TDMAネットワークは、モバイル通信用グローバルシステム(GSM(登録商標))などの無線技術を実装し得る。OFDMAネットワークは、Evolved UTRA(E-UTRA)、Ultra Mobile Broadband(UMB)、IEEE802.11(Wi-Fi)、IEEE802.16(WiMAX)、IEEE802.20、Flash-OFDMAなどのような無線技術を実装し得る。UTRAおよびE-UTRAは、ユニバーサルモバイル通信システム(UMTS)の一部である。3GPP Long Term Evolution(LTE)およびLTE-Advanced(LTE-A)は、E-UTRAを用いるUMTSの新しいリリースである。UTRA、E-UTRA、UMTS、LTE、LTE-AおよびGSM(登録商標)は、「3rd Generation Partnership Project」(3GPP)という名称の組織からの文書で説明されている。CDMA2000およびUMBは、「3rd Generation Partnership Project 2」(3GPP2)という名称の組織からの文書で説明されている。本明細書で説明される技法は、上記のワイヤレスネットワークおよび無線技術、ならびに他のワイヤレスネットワークおよび無線技術で使用され得る。明確にするために、本技法のいくつかの態様が、以下ではLTEに関して説明され、以下の説明の大部分でLTE用語が使用される。
【００１４】
図1は、LTEネットワークであり得るワイヤレス通信ネットワーク100を示している。ワイヤレスネットワーク100は、いくつかのeNB110と他のネットワークエンティティとを含み得る。eNBは、UEと通信する局でもよく、基地局、ノードB、アクセスポイント、または他の用語でも呼ばれ得る。各eNB110a、110b、110cは、特定の地理的エリアのための通信カバレッジを提供することができる。3GPPでは、「セル」という用語は、この用語が使用される状況に応じて、eNBのカバレッジエリアおよび/またはこのカバレッジエリアにサービスしているeNBサブシステムを指すことがある。
【００１５】
eNBは、マクロセル、ピコセル、スモールセル、および/または他のタイプのセルのための通信カバレッジを提供することができる。マクロセルは、比較的大きい地理的エリア(たとえば、半径数キロメートル)をカバーすることができ、サービスに加入しているUEによる無制限のアクセスを可能にし得る。ピコセルは、比較的小さい地理的エリアをカバーすることができ、サービスに加入しているUEによる無制限のアクセスを可能にし得る。スモールセルは、比較的小さい地理的エリア(たとえば、家)をカバーし得、スモールセルとの関連を有するUE(たとえば、限定加入者グループ(CSG)中のUE、家の中のユーザのUEなど)による限定アクセスを可能にし得る。マクロセルのためのeNBは、マクロeNBと呼ばれ得る。ピコセルのためのeNBは、ピコeNBと呼ばれ得る。スモールセルのためのeNBは、スモールセルeNB、またはホームeNB(HNB)と呼ばれ得る。図1に示される例では、eNB110a、110bおよび110cは、それぞれマクロセル102a、102bおよび102cのマクロeNBであり得る。eNB110xは、UE120xにサービスする、ピコセル102xのピコeNBであり得る。eNB110yおよび110zは、それぞれ、スモールセル102yおよび102zのためのスモールセルeNBでもよい。eNBは、1つまたは複数(たとえば、3つ)のセルをサポートし得る。
【００１６】
ワイヤレスネットワーク100は、異なるタイプのeNB、たとえば、マクロeNB、ピコeNB、スモールセルeNB、リレーなどを含む、異種ネットワークでもよい。これらの様々なタイプのeNBは、様々な送信電力レベル、様々なカバレッジエリア、およびワイヤレスネットワーク100中での干渉に対する様々な影響を有し得る。たとえば、マクロeNBは高い送信電力レベル(たとえば、20ワット)を有することがあり、一方、ピコeNB、スモールセルeNBおよびリレーはより低い送信電力レベル(たとえば、1ワット)を有し得る。
【００１７】
ワイヤレスネットワーク100は、同期動作または非同期動作をサポートすることができる。ブロードキャストマルチキャスト動作は、画定されたエリア内の基地局の同期を必要とし得るが、本技術は、それによって制限されない。同期動作の場合、eNBは同様のフレームタイミングを有してよく、異なるeNBからの送信は概ね時間的に揃えられ得る。非同期動作の場合、eNBは異なるフレームタイミングを有してよく、異なるeNBからの送信は時間的に揃えられないことがある。本明細書で説明される技法は、同期動作と非同期動作の両方に対して使用され得る。
【００１８】
ネットワークコントローラ130は、1セットのeNBに結合し、これらのeNBの協調および制御を実現することができる。ネットワークコントローラ130は、バックホールを介してeNB110と通信することができる。eNB110はまた、たとえば、直接またはワイヤレスもしくはワイヤラインバックホールを介して間接的に、互いに通信することができる。
【００１９】
UE120は、ワイヤレスネットワーク100全体に分散してもよく、そして、各UEは静的またはモバイルでもよい。UEは、端末、移動局、加入者ユニット、局などとも呼ばれ得る。UEは、携帯電話、携帯情報端末(PDA)、ワイヤレスモデム、ワイヤレス通信デバイス、携帯型デバイス、ラップトップコンピュータ、コードレス電話、ワイヤレスローカルループ(WLL)局、または他のモバイルデバイスであってよい。UEは、マクロeNB、ピコeNB、スモールセルeNB、リレー、または他のネットワークエンティティと通信することが可能であり得る。図1では、両側に矢印がある実線が、UEとサービングeNBとの間の所望の伝送を示し、サービングeNBは、ダウンリンクおよび/またはアップリンクでUEをサービスするように指定されるeNBである。両方向の矢印を有する破線は、UEとeNBとの間の干渉する送信を示す。
【００２０】
LTEは、ダウンリンクで直交周波数分割多重化(OFDM)を利用し、かつアップリンクでシングルキャリア周波数分割多重化(SC-FDM)を利用する。OFDMおよびSC-FDMは、また一般にはトーン、ビンなどと呼ばれる、複数の(K)直交副搬送波に、システム帯域幅を区切る。各副搬送波は、データで変調され得る。一般に、変調シンボルは、OFDMでは周波数領域で、SC-FDMでは時間領域で送られる。隣接する副搬送波間の間隔は、固定でもよく、副搬送波の総数(K)は、システム帯域幅に依存し得る。たとえば、Kは、1.25、2.5、5、10、または20メガヘルツ(MHz)のシステム帯域幅に対して、それぞれ、128、256、512、1024、または2048に等しくてもよい。システム帯域幅はまた、サブバンドに区切られ得る。たとえば、サブバンドは1.08MHzをカバーすることができ、1.25、2.5、5、10または20MHzのシステム帯域幅に対して、それぞれ、1、2、4、8または16のサブバンドが存在し得る。
【００２１】
図2は、図1の基地局/eNBのうちの1つおよびUEのうちの1つでもよい、基地局/eNB110およびUE120の設計のブロック図である。基地局110は、アンテナ234a〜234tを備えてもよく、UE120は、アンテナ252a〜252rを備えてもよい。
【００２２】
基地局110では、送信プロセッサ220は、データソース212からのデータと、コントローラ/プロセッサ240からの制御情報とを受信することができる。制御情報は、PBCH、PCFICH、PHICH、PDCCHなどに関するものでもよい。データは、PDSCHなどに関するものでもよい。プロセッサ220は、データと制御情報とを処理(たとえば、符号化およびシンボルマッピング)して、それぞれデータシンボルと制御シンボルとを取得することができる。プロセッサ220はまた、たとえば、PSS、SSS、およびセル特有の基準信号の、参照シンボルを生成することができる。送信(TX)多入力多出力(MIMO)プロセッサ230は、該当する場合、データシンボル、制御シンボル、および/または参照シンボルで空間的処理(たとえば、プリコーディング)を実行することができ、出力シンボルストリームを変調装置(MOD)232a〜232tに提供することができる。各変調装置232は、それぞれの出力シンボルストリーム(たとえば、OFDMのなど)を処理して出力サンプルストリームを取得することができる。各変調装置232は、ダウンリンク信号を取得するために、出力サンプルストリームをさらに処理する(たとえば、アナログに変換する、増幅する、フィルタをかける、およびアップコンバートする)ことができる。変調装置232a〜232tからのダウンリンク信号は、それぞれ、アンテナ234a〜234tを介して送信することができる。
【００２３】
UE120において、アンテナ252a〜252rは、基地局110からダウンリンク信号を受信することができ、それぞれ、受信された信号を復調器(DEMOD)254a〜254rに提供することができる。各復調器254は、それぞれの受信された信号を調整(たとえば、フィルタリング、増幅、ダウンコンバート、およびデジタル化)して入力サンプルを取得することができる。各復調器254はさらに、(たとえば、OFDMなどのための)入力サンプルを処理して受信されたシンボルを取得することができる。MIMO検出器256は、すべての復調器254a〜254rから、受信されたシンボルを取得し、可能な場合には受信されたシンボルに対してMIMO検出を実行し、検出されたシンボルを提供することができる。受信プロセッサ258は、検出されたシンボルを処理(たとえば、復調、デインターリーブ、および復号)し、UE120のための復号されたデータをデータシンク260に提供し、復号された制御情報をコントローラ/プロセッサ280に提供し得る。
【００２４】
アップリンク上では、UE120において、送信プロセッサ264は、データソース262から(たとえば、PUSCHのための)データを受信し、処理し、コントローラ/プロセッサ280から(たとえば、PUCCHのための)制御情報を受信し、処理し得る。プロセッサ264はまた、参照信号のための参照シンボルを生成することもできる。送信プロセッサ264からのシンボルは、TX MIMOプロセッサ266によりプリコーディングされ、可能な場合には、(たとえばSC-FDMなどのために)変調器254a〜254rによりさらに処理され、基地局110に送信され得る。基地局110において、UE120からのアップリンク信号は、アンテナ234により受信され、復調器232により処理され、可能な場合にはMIMO検出器236により検出され、受信プロセッサ238によりさらに処理されて、UE120により送られた、復号されたデータおよび制御情報を得ることができる。プロセッサ238は、復号されたデータをデータシンク239に提供し、かつ復号された制御情報をコントローラ/プロセッサ240に提供することができる。
【００２５】
コントローラ/プロセッサ240および280は、それぞれ、基地局110およびUE120で動作を指示することができる。基地局110におけるプロセッサ240ならびに/または他のプロセッサおよびモジュールは、図7に示される機能ブロックなど、本明細書で説明される技法の様々な処理の実行を、実施または指示することができる。UE120におけるプロセッサ280ならびに/または他のプロセッサおよびモジュールも、図6に示す機能ブロックの実行、および/または本明細書で説明する技法のための他のプロセスを実施または指示し得る。メモリ242および282は、それぞれ、基地局110およびUE120のためのデータおよびプログラムコードを記憶することができる。スケジューラ244は、ダウンリンクおよび/またはアップリンクにおけるデータ送信についてUEをスケジュールすることができる。
【００２６】
一構成では、ワイヤレス通信のためのUE120は、図8に示されるプロセスを実行するための手段を含み得る。たとえば、UE120は、パブリックランドモバイルネットワーク識別子(PLMN-ID)および追加の識別子に基づいてアクセスネットワーク識別のための方式を決定するための手段を含み得る。たとえば、UE120は、アクセスネットワークから、PLMN-IDおよび追加の識別子を含むブロードキャスト情報を受信するための手段を含み得る。たとえば、UE120は、アクセスネットワークが追加の識別子を利用するアクセスネットワークのクラスに属することを決定するための手段を含み得る。たとえば、UE120は、アクセスネットワークのクラスおよび決定された方式に基づいてPLMN-IDと追加の識別子の組合せを使用してアクセスネットワークを識別するための手段を含み得る。一態様では、上記の手段は、上記の手段によって具陳される機能を実行するように構成されたプロセッサ、コントローラ/プロセッサ280、メモリ282、受信プロセッサ258、MIMO検出器256、復調器254a、およびアンテナ252aであり得る。別の態様では、上述の手段は、上述の手段によって具陳された機能を実行するように構成されたモジュールまたは任意の装置であり得る。
【００２７】
モバイルネットワーク事業者(MNO)は、ワイヤレスサービスのプロバイダであり得る。非MNO(NMO)ネットワークは、従来のMNOネットワークとは別個に配備され得る。NMOは、大部分、フェムトセル、ピコセルなどのスモールセルから成り得る。NMOネットワークは、消費者、企業、インターネットサービスプロバイダ(ISP)、MNOなど、いくつかのタイプのエンティティによって配備可能であり得る。様々な配備において、NMOネットワークは、様々な展開配備サイズをサポートすることができる。たとえば、消費者の配備では、ただ1つの、または少数のスモールセルが配備され得る。企業の配備では、数は、少数から、大規模な組織のための何百ものスモールセルまで様々であり得る。ISPおよびMNOは、より大きい地理的領域にわたって拡散される多数のセルを配備することができる。スモールセルのNMO配備は、たとえばカバレッジおよび干渉処理など、より良い無線性能を含む利益を提供することができる。NMO LTE配備は、使いやすさ、シームレスなモビリティ、セキュリティ、インターオペラビリティ、およびサービス品質(QoS)を提供することができる。これらの利益は、たとえば、3GPPアーキテクチャおよびE2Eシグナリング(たとえば、3GPP TS 23.401に指定された)を再利用するなど、非従来型のLTEスモールセル配備のために確立されたLTEシステムソリューションを再利用することによっても達成され得る。
【００２８】
いくつかの場合には、NMOネットワークは、Wi-Fiネットワークによって提供されるものと似たデータオンリーのサービスを提供することができる。たとえば、NMOネットワークは、ローカルネットワークアクセス、パブリックまたは小売りのインターネットアクセス、またはMNOオフロードを提供し得る。NMOネットワークは、LTE無線技術に基づき得る。スペクトルは、認可されていてもよく、または無認可でもよい。NMOネットワークは、LTEを補うためにWi-Fiおよび他の無線を有するデバイスを含み得る。
【００２９】
各MNOシステムは、それ自体のパブリックランドモバイルネットワーク(PLMN)-IDを有し得る。この場合、PLMN-IDは、アクセスネットワークを一意に、または明白に識別することができる。
【００３０】
しかしながら、LTEスモールセルの急増は、セルIDのネットワーク識別および使用に関する問題をもたらす。LTEネットワークの動作は、LTEネットワークプロバイダが専用のPLMN-IDを所有すると仮定して、明確な識別方式に基づく。上記に示したように、PLMN-IDは、各LTEネットワークプロバイダが専用のPLMN-IDを必要とするように、アクセスネットワークを一意に識別する。専用のPLMN-IDを取得することが大規模ネットワーク事業者にとって困難でないことがある一方、方式は、LTE APおよびネットワークを配備することを望むISP、企業、または消費者にはスケーラブルではないことがある。一方、専用のPLMN-IDなしでは、既存のLTE識別を再利用することができない可能性があり、したがって、既存のLTE手順(たとえば、モビリティ、セキュリティなどに関する)を再利用する考えは可能ではないことがある。
【００３１】
一実施形態では、スモールセルの配備ごとに専用のPLMN-IDが必要とされなくてもよいように、PLMN-IDは、NMOネットワークのために確保され得る。この場合、PLMN-IDは、アクセスネットワークを一意に識別しないことがある。追加の識別子または識別子サフィックスは、たとえばPLMN-IDと組み合わせて、アクセスネットワークを一意に識別することが必要とされ得る。識別子サフィックスの範囲は、可能な一意のネットワークの範囲および数を決定し得る。可能な一意のネットワークの数は、PLMN-ID空間と呼ばれ得る。たとえば、28ビットの識別子サフィックスは、268,435,456の一意のエンティティの識別を可能にし、この場合、PLMN-ID空間は268,435,456である。
【００３２】
図3Aは、たとえばPLMN-ID310など、従来の配備においてアクセスネットワークを一意に識別するネットワーク識別子を示す。図3Bは、たとえばPLMN-ID310などのネットワーク識別子と、専用のPLMN-ID310が多くのNMOによって再利用されるとき、アクセスネットワークを一意に識別することができる追加の識別子320との組合せを示す。たとえば、追加の識別子320または識別子サフィックスは、UEがアクセスネットワークを識別するのを助けるために、PLMN-ID310とともに、またはPLMN-ID310とは別個にUEにブロードキャストされ得る。一例では、ネットワークは、追加のネットワーク識別情報を含む追加の識別子320をUEにブロードキャストするように事前構成され得る。UEは、追加のネットワーク識別の意味を理解するために事前構成され得る。
【００３３】
PLMN-ID310と追加の識別子320の組合せによって識別される、各NMOネットワークは、異なるプロバイダによって実行され得、それ自体の加入者の組を有し得、それ自体の認証システムならびにそれ自体のサービスを有し得る。UEは、これらのNMOネットワークの各々のための異なる証明書を有し得る。UEは、以下のために組合せ識別子を使用することができる。第1に、組合せ識別子は、(たとえば、事前構成、またはネットワーク選択ポリシーに基づいて)UEが接続することができるネットワークを理解するために使用され得る。第2に、組合せ識別子は、選択されたNMOネットワークの方への接続の確立のためにUEがどの証明書を使用し得るかを理解するために使用され得る。第3に、組合せ識別子は、ひとたびUEが接続されると、UEおよびネットワークがハンドオーバおよびセル再選択を適切に実行することができるように、どの追加のセルがすでに接続されたNMOネットワークに属するかを理解するために使用され得る。
【００３４】
ネットワークを配備するためにPLMN-IDを取得することがもはや必要でないことがあるので、追加の識別子に基づくPLMN-IDの割振りは、新しい種類のLTEネットワークの配備のためにより低いハードルを提供し得る。PLMN-IDの割振りは、多くの小規模なLTEネットワークの普及を可能にすることもできる。同時に、既存の3GPP識別システムは、新しいタイプのLTEネットワーク内で維持され得る。LTEのために使用される、モビリティおよびセキュリティ手順を含む手順が再利用され得る。
【００３５】
たとえば、新しい国のPLMN-IDは、多数のNMOネットワークによって再利用されるように確保され得る。各サービスプロバイダ(たとえばNMO)には、それらのセルを識別するために、PLMN-ID空間の一部が割り振られ得る。追加のネットワーク識別子(または図3BのネットワークIDサフィックス)は、様々な形をとり得る。
【００３６】
一態様では、追加の識別子の情報を伝達するための新しいフィールドが定義され得る。別の態様では、1つまたは複数の既存のフィールドは、追加の識別子の情報を提供するために使用され得る。
【００３７】
それらの元の目的の代わりに、またはそれに加えて、追加の識別子の情報を提供するために、いくつかの可能な既存のフィールドが再目的化され得、そうした既存のフィールドは、グローバルセルID(GCID)、PLMN-IDリスト、限定加入者グループID(CSG ID)などを含む。たとえば、グローバルセルID(GCID)は、MNOセルを識別するために使用され得る。GCIDは、グローバル・ユニークであり得る。たとえば、GCIDは、MNOセルを識別するために使用される約2.7億のグローバル・ユニークのGCIDを提供する28ビットIDであり得る。
【００３８】
加入者を識別するために、国際モバイル加入者識別子(IMSI)は、MNO加入者を識別するために使用され得る。たとえば、IMSIは、加入者と加入者を識別するためのネットワークとの間で交換され得る約100億のIDを提供する64ビットIDであり得る。
【００３９】
以下のTable 1(表1)は、識別子をNMOアクセスネットワークに割り振るための、および識別子に基づいてアクセスネットワークを識別するための1つの例示的な方式を示す。たとえば、方式は、NMOネットワークのために確保されているPLMN-IDに基づき得る。PLMN-IDは、特定のネットワークを一意に識別するために、追加の識別子と結合され得る。追加の識別子は、以下のTable 1(表1)に基づいて区分され得る。たとえば、追加の識別子は、28ビットを有するGCIDに基づく、またはそれにカプセル化され得る。GCIDのビットフィールドは、Table 1(表1)に図示したように区分され得る。
【００４０】
たとえば、5つのタイプのネットワークは、住宅タイプ、企業/会場(小規模)、企業/会場(大規模)、ISP(小規模)、およびISP(大規模)を含み得る。各住宅ネットワークは、少数のセルを含み得る。たとえば、ある世帯は、1つのセルは2階に、もう1つのセルは1階に、家に2つのセルを配備するかもしれない。しかしながら、住宅ネットワークの数は相当な数であり得る。この場合、住宅ネットワーク間を区別するためにビット空間のより多くを割り振り、各住宅ネットワーク内の異なるセルを識別するための少数のIDを割り振ることが有利であり得る。
【００４１】
【表１】
0006474793.tif 000002
【００４２】
上記のTable 1(表1)で例示するように、各タイプのネットワークは、異なる特性を有し得、したがって、可変ビット範囲は、追加の識別子の各部分(たとえば、ネットワークタイプ、ネットワークID、およびセルID)に割り振られ得る。可変空間割振り方式がUEに伝えられ得る、または、UEが可変ビット空間割振りの概念によって事前構成され得る。たとえば、UEは、たとえば、Table 1(表1)における5つのタイプのネットワークで事前構成され得る。
【００４３】
ISP(小規模)の例では、各ISPのための多数(数千程度)のセルとともに、住宅の例と比較して、少数(数百程度)のISPネットワークがあり得る。この場合、ISP配備に関するセルを識別するためのより多くのビットを割り振ることが有益であり得る。Table 1(表1)は、ネットワークタイプごとに例示的な空間割振りを提供する。他のネットワークタイプおよびビット空間割振りが可能であり得ることを、当業者は認識されよう。
【００４４】
図3Cは、Table 1(表1)に基づく追加の識別子におけるビットの例示的な区分を示す。たとえば、図3Bに図示されるネットワークIDサフィックスは、下位識別子に分割または区分され得る。図3Cは、ネットワークタイプ、ネットワークID、およびセルIDに基づく例示的な区分を示す。ネットワークタイプは、たとえば、iビットの長さを有する割振り空間を占有し得る。ネットワークIDは、たとえば、jビットの長さを有するビットの割振りを占有し得る。セルIDは、たとえば、kビットの長さを有するビットの割振りを占有し得る。
【００４５】
各識別子のためのビット長は、ネットワークタイプに基づいて割り振られ得る。上記で説明したように、小規模ネットワーク(たとえば、住宅)では、各住宅ネットワークを識別するためにより多くのビット空間を割り振り、住宅ネットワーク内の各セルを識別するためにより少ないビット空間を割り振ることが有益であり得る。大規模ネットワーク(たとえば、小規模ISP)では、ネットワーク内の各セルを識別するためにより多くのビット空間を割り振り、各ISPを識別するためにより少ない空間を割り振ることが有益であり得る。
【００４６】
図3Dは、住宅ネットワークのための例示的なビット空間割振りを示す。たとえば、ネットワークタイプは3ビットであり得る。たとえば、ネットワークIDは13ビットであり得、セルIDは2ビットであり得る。合計28ビットは、住宅セルを(たとえば、一意に)識別することができる。
【００４７】
図3Eは、小規模企業ネットワークのための例示的なビット空間割振りを示す。たとえば、ネットワークタイプは3ビットであり得る。たとえば、ネットワークIDは17ビットであり得、セルIDは8ビットであり得る。合計28ビットは、小規模企業セルを(たとえば、一意に)識別することができる。
【００４８】
図3Fは、大規模企業ネットワークのための例示的なビット空間割振りを示す。たとえば、ネットワークタイプは3ビットであり得る。たとえば、ネットワークIDは13ビットであり得、セルIDは12ビットであり得る。合計28ビットは、大規模企業セルを(たとえば、一意に)識別することができる。
【００４９】
図3Gは、小規模ISPネットワークのための例示的なビット空間割振りを示す。たとえば、ネットワークタイプは3ビットであり得る。たとえば、ネットワークIDは9ビットであり得、セルIDは16ビットであり得る。合計28ビットは、小規模ISPセルを(たとえば、一意に)識別することができる。
【００５０】
図3Hは、大規模ISPネットワークのための例示的なビット空間割振りを示す。たとえば、ネットワークタイプは1ビットであり得る。たとえば、ネットワークIDは4ビットであり得、セルIDは23ビットであり得る。合計28ビットは、小規模ISPセルを(たとえば、一意に)識別することができる。図3Hでは、ネットワークタイプは1ビットであり得る。この場合、UEは、ネットワークが大規模なISPに属するか別のタイプに属するかを決定するために、第1のビットを読み取り得る。たとえば、「0」の値は、大規模なISPを識別することができる。「0」を読み取るUEは、ISPのネットワークIDとして、次の4ビットを復号することができる。第1のビットが「0」でない場合、UEは、ネットワークタイプを復号するために最初の3ビットを読み取り得る。他の値、ビット長などが空間割振りに可能であり得ることを当業者は容易に認識されよう。
【００５１】
追加の識別子または識別子サフィックスが他の形をとり得ることを諒解されよう。たとえば、追加の識別子は、CSG-IDまたは任意の他の適切なフィールドに基づき得る。たとえば、追加の識別子は、異なるビット割振りに基づいて区分され得る。ネットワークタイプのためのビット割振りは、静的または動的とすることができる。区分およびビット割振りは、事前構成され得、またはUEに伝えられ得る。
【００５２】
上記で説明したように、専用のPLMN-IDは、共有のNMO使用のために確保され得、追加の識別子は、PLMN-IDと組み合わせてアクセスネットワークを一意に識別する。通常の国のPLMN-ID割振り機構が使用され得る。たとえば、NMOは、識別子を割り当てるタスクを与えられる既存の組織を介して識別子(たとえば、PLMN-IDと追加の識別子の組合せ)の割当てを申し込むことができる。別の例では、識別子は、NMO PLMN-ID管理者によって割り振られ得る。管理者は、PLMN-ID空間が割り振られ得る方法についての決定を行うことができる。たとえば、管理者は、Table 1(表1)に図示されたPLMN-ID空間割振り、または別の割振り方式を使用することができる。たとえばサービスプロバイダなどのNMOは、PLMN-ID空間の一部を管理者に要求することができ、管理者は、PLMN-IDのそのような部分を割り振ることができる。例示的なNMOネットワークプロバイダは、ネットワーク事業者またはサービスプロバイダ、たとえばISP、企業、消費者などを含み得る。例示的なNMOネットワークプロバイダは、サードパーティシステムまたはソリューションインテグレータを含み得る。例示的なNMOネットワークプロバイダは、アクセスポイントまたはeNBベンダー(事前構成されたターンキーAPを提供する)を含み得る。
【００５３】
一態様では、ネットワークおよびセルの安全性および認証が提供され得る。PLMN-ID管理者がネットワークIDまたはセルIDの範囲を特定のプロバイダに割り振るとき、プロバイダは、管理者に「プロバイダセキュリティ情報」を提供し得る。このセキュリティ情報は、たとえば、認証局によってプロバイダのために認定されるプロバイダの公開鍵またはプロバイダの公式名とすることができる。UEは、ブロードキャストされたネットワークIDに基づいて特定のネットワークの利用可能性を検出することができる。割り当てられたプロバイダによってセルが実際に動作されることを確認するために、プロバイダがプロバイダネットワークを介して「プロバイダ署名」をUEに送るための手段があり得る。プロバイダ署名は、UEがネットワークに接続するより前に送られ得る(追加のブロードキャスト情報を送ることによって)、または、UEとネットワークとの間の確立された接続を介してUEが接続された後に送られ得る。署名は、新しいブロードキャスト情報(たとえば、3GPP RRC SIBにおける)によって、またはネットワークからUEへの専用メッセージ(たとえば、RRC、NASまたはアプリケーションレベルのシグナリング)によって提供され得る。UEは、UEにおいて事前構成された情報を利用して、または、たとえば認証局など第三者との対話に基づいて、受信されたプロバイダ署名の妥当性を確認することが可能であり得る。
【００５４】
図4は、PLMN-IDおよび識別子サフィックスの組合せを使用したスモールセルの配備のための例示的なコールフロー図を示す。UE120は、NMOのために確保されたPLMN-IDの概念によって構成され得る。たとえば、UE120は、ステップ440で、PLMN-ID空間割振りのための方式を決定することができる。一例では、UE120は、たとえば、Table 1(表1)に図示されたように、PLMN-ID空間割振りの概念によって事前構成され得る。別の例では、UE120は、ネットワークからPLMN-ID空間割振り方式のための情報を受信することができる。ステップ460で、スモールセル110(たとえば、NMOスモールセル)は、そのIDをブロードキャストすることができる。ステップ480で、UE120は、決定された方式に基づいてスモールセル110の識別子を決定することができる。ステップ490で、UEは、スモールセル110との接続を確立することができる。
【００５５】
図5は、スモールセルの認証を含むスモールセルの配備のための例示的なコールフロー図を示す。UE120は、NMOのために確保されたPLMN-IDの概念によって構成され得る。たとえば、UE120は、ステップ440で、PLMN-ID空間割振りのための方式を決定することができる。一例では、UE120は、たとえば、Table 1(表1)に図示されたように、PLMN-ID空間割振りの概念によって事前構成され得る。別の例では、UE120は、ネットワークからPLMN-ID空間割振り方式のための情報を受信することができる。ステップ450で、UE120は、1つまたは複数のセルに関係するセキュリティ情報を受信することができる。ステップ460で、スモールセル110(たとえば、NMOスモールセル)は、そのIDをブロードキャストすることができる。ステップ460bで、スモールセル110(たとえば、NMOスモールセル)は、そのセキュリティ署名をブロードキャストすることができる。ステップ480で、UE120は、決定された方式に基づいてスモールセル110の識別子を決定することができる。ステップ485で、UE120は、セキュリティ情報およびセキュリティ署名に基づいてスモールセル110を認証することができる。ステップ490で、UEは、スモールセル110との接続を確立することができる。ステップ450、460b、および485は、別の順序で実行されてもよい。たとえば、スモールセルは、UEがネットワークとの接続を確立した後、セキュリティ署名を送ることができる(ステップ460b)。たとえば、UEは、接続を確立した後、スモールセル110を認証することができる。
【００５６】
図6は、アクセスネットワークを識別するための方法の実施形態を示す。方法は、UE、モバイルエンティティなどによって実行され得る。方法600は、602で、PLMN-IDおよび追加の識別子に基づいてアクセスネットワーク識別のための方式を決定するステップを含み得る。方法600は、604で、アクセスネットワークから、PLMN-IDおよび追加の識別子を含むブロードキャスト情報を受信するステップを含み得る。方法600は、606で、アクセスネットワークが追加の識別子を利用するアクセスネットワークのクラスに属することを決定するステップを含み得る。方法600は、608で、アクセスネットワークのクラスおよび決定された方式に基づいてPLMN-IDと追加の識別子の組合せを使用してアクセスネットワークを識別するステップを含み得る。
【００５７】
図7は、アクセスネットワークを識別するための方法の実施形態を示す。方法は、アクセスポイント、eNBなどによって実行され得る。方法700は、702で、アクセスネットワーク識別のための方式に基づいてPLMN-IDおよび追加の識別子をブロードキャストするステップを含み得る。
【００５８】
図8を参照すると、ネットワークノード選択のための、UE、ネットワークエンティティ、もしくは他の適したエンティティとして、またはUE、ネットワークエンティティ、もしくは他の適したエンティティ内で使用するためのプロセッサ、構成要素、もしくは類似のデバイスとして構成され得る例示的な装置800が提供される。装置800は、プロセッサ、ソフトウェア、またはその組合せ(たとえばファームウェア)によって実施される機能を表し得る機能ブロックを含み得る。
【００５９】
図示したように、一実施形態では、装置800は、PLMN-IDおよび追加の識別子に基づいてアクセスネットワーク識別のための方式を決定するための電気的構成要素またはモジュール802を含み得る。装置800は、アクセスネットワークから、PLMN-IDおよび追加の識別子を含むブロードキャスト情報を受信するための電気的構成要素またはモジュール804を含み得る。装置800は、アクセスネットワークが追加の識別子を利用するアクセスネットワークのクラスに属することを決定するための電気的構成要素またはモジュール806を含み得る。装置800は、アクセスネットワークのクラスおよび決定された方式に基づいてPLMN-IDと追加の識別子の組合せを使用してアクセスネットワークを識別するための電気的構成要素またはモジュール808を含み得る。
【００６０】
関連する態様では、装置800は、ネットワークエンティティとして構成されている装置800の場合、少なくとも1つのプロセッサを有するプロセッサ構成要素810を任意選択で含み得る。プロセッサ810は、そのような場合、バス812または類似の通信結合を介して構成要素802〜808または類似の構成要素と動作可能に通信し得る。プロセッサ810は、電気的構成要素またはモジュール802〜808によって実行されるプロセスまたは機能を開始しスケジューリングしてよい。
【００６１】
さらなる関係する態様では、装置800は、ネットワークエンティティと通信するためのネットワークインターフェース構成要素814を含むことができる。装置800は、たとえば、メモリデバイス/構成要素816などの情報を記憶するための構成要素を任意選択で含んでよい。コンピュータ可読媒体またはメモリ構成要素816は、バス812などを介して装置800の他の構成要素に動作可能なように結合され得る。メモリ構成要素816は、構成要素802〜808およびその副構成要素、またはプロセッサ810のアクティビティを実行するためのコンピュータ可読命令およびデータを記憶するように適応され得る。メモリ構成要素816は、構成要素802〜808に関連する機能を実行するための命令を保持することができる。メモリ816の外部にあるものとして示されるが、構成要素802〜808はメモリ816内に存在し得ることを理解されたい。
【００６２】
図9を参照すると、アクセスポイント、ネットワークエンティティ、もしくは他の適したエンティティとして、またはアクセスポイント、ネットワークエンティティ、もしくは他の適したエンティティ内で使用するためのプロセッサ、構成要素、もしくは類似のデバイスとして構成され得る例示的な装置900が提供される。装置900は、プロセッサ、ソフトウェア、またはその組合せ(たとえばファームウェア)によって実施される機能を表し得る機能ブロックを含み得る。
【００６３】
図示したように、一実施形態では、装置900は、アクセスネットワーク識別のための方式に基づいてPLMN-IDおよび追加の識別子をブロードキャストするための電気的構成要素またはモジュール902を含み得る。追加の識別子は、アクセスネットワークの分類および方式に基づいてアクセスネットワークを識別するために構成され得る。
【００６４】
関連する態様では、装置900は、ネットワークエンティティとして構成されている装置900の場合、少なくとも1つのプロセッサを有するプロセッサ構成要素910を任意選択で含み得る。プロセッサ910は、そのような場合、バス912または類似の通信結合を介して構成要素902または類似の構成要素と動作可能に通信し得る。プロセッサ910は、電気的構成要素またはモジュール902によって実行されるプロセスまたは機能を開始しスケジューリングしてよい。
【００６５】
さらなる関係する態様では、装置900は、ネットワークエンティティと通信するためのネットワークインターフェース構成要素914を含むことができる。装置900は、たとえば、メモリデバイス/構成要素916などの情報を記憶するための構成要素を任意選択で含んでよい。コンピュータ可読媒体またはメモリ構成要素916は、バス912などを介して装置900の他の構成要素に動作可能なように結合され得る。メモリ構成要素916は、構成要素902およびその副構成要素、またはプロセッサ910のアクティビティを実行するためのコンピュータ可読命令およびデータを記憶するように適応され得る。メモリ構成要素916は、構成要素902に関連する機能を実行するための命令を保持することができる。メモリ916の外部にあるものとして示されるが、構成要素902はメモリ916内に存在し得ることを理解されたい。
【００６６】
情報および信号は、多種多様な技術および技法のいずれかを使用して表され得ることを、当業者は理解するであろう。たとえば上記説明全体を通して参照されてよいデータ、命令、指令、情報、信号、ビット、記号およびチップは、電圧、電流、電磁波、磁界または粒子、光学場または粒子、あるいはそれらの任意の組合せによって表されてもよい。
【００６７】
本明細書の開示に関して記載された様々な例示的論理ブロック、モジュール、回路、およびアルゴリズムステップは、電子ハードウェア、コンピュータソフトウェア、またはその両方の組合せとして実装されてもよいことが、当業者にはさらに諒解されよう。ハードウェアおよびソフトウェアのこの互換性を明確に説明するために、様々な例示的な構成要素、ブロック、モジュール、回路、およびステップは、それらの機能の観点から一般に上記で説明されている。そのような機能がハードウェアまたはソフトウェアのいずれとして実現されているのかは、システム全体に課される特定の用途および設計制約に依存する。当業者は、説明した機能を特定の適用例ごとに様々な方法で実装し得るが、そのような実装の決定は、本開示の範囲からの逸脱をもたらすものと解釈されるべきではない。
【００６８】
本明細書において開示に関連して説明される様々な例示的な論理ブロック、モジュール、および回路は、汎用プロセッサ、デジタル信号プロセッサ(DSP)、特殊用途向け集積回路(ASIC)、フィールドプログラマブルゲートアレイ(FPGA)またはその他のプログラマブル論理デバイス、ディスクリートゲートまたはトランジスタ論理、ディスクリートハードウェアコンポーネント、または本明細書において説明される機能を実行するように設計されたこれらの任意の組合せにより実装または実行されてもよい。汎用プロセッサは、マイクロプロセッサであり得るが、代替として、プロセッサは、任意の従来のプロセッサ、コントローラ、マイクロコントローラ、またはステートマシンであり得る。プロセッサは、また、コンピューティングデバイスの組合せ、たとえば、DSPおよびマイクロプロセッサの組合せとして、複数のマイクロプロセッサ、DSPコアと協働する1つまたは複数のマイクロプロセッサ、または任意の他のそのような構成として実装され得る。
【００６９】
本明細書において開示に関連して説明される方法またはアルゴリズムのステップは、ハードウェアにおいて、プロセッサによって実行されるソフトウェアモジュールにおいて、またはこの2つの組合せにおいて直接具現されてもよい。ソフトウェアモジュールは、RAMメモリ、フラッシュメモリ、ROMメモリ、EPROMメモリ、EEPROMメモリ、レジスタ、ハードディスク、取り外し可能ディスク、CD-ROM、または当技術分野において知られている任意のその他の形態の記憶媒体に常駐する場合がある。プロセッサが記憶媒体から情報を読み取ること、および記憶媒体に情報を書き込むことができるように、例示的記憶媒体がプロセッサに結合される。代替的に記憶媒体は、プロセッサと一体化され得る。プロセッサおよび記憶媒体は、ASIC内に存在し得る。ASICは、ユーザ端末内に存在し得る。代替として、プロセッサおよび記憶媒体は、ユーザ端末内に個別構成要素として存在し得る。
【００７０】
1つまたは複数の例示的設計では、記載された機能は、ハードウェア、ソフトウェア、ファームウェア、またはその任意の組合せにおいて実装されてもよい。ソフトウェアで実施される場合、諸機能は、1つまたは複数の命令またはコードとして、コンピュータ可読媒体に記憶されてもよく、またはコンピュータ可読媒体を介して送信されてもよい。コンピュータ可読媒体は、ある場所から別の場所へのコンピュータプログラムの転送を容易にするどのような媒体をも含む、コンピュータ記憶媒体と通信媒体との両方を含む。記憶媒体は、汎用または特殊用途コンピュータによってアクセスされ得る任意の使用可能な媒体であってもよい。限定的ではなく、一例として、そのようなコンピュータ可読媒体は、RAM、ROM、EEPROM、CD-ROMもしくはその他の光ディスク記憶装置、磁気ディスク記憶装置もしくはその他の磁気記憶装置、または望ましいプログラムコード手段を命令またはデータ構造の形態で搬送または記憶するために使用され得る、汎用もしくは特殊用途コンピュータ、または汎用もしくは特殊用途プロセッサによってアクセスされ得る任意の他の媒体を備えることができる。また、送信される信号の非一時的な記憶を伴う限り、任意の接続がコンピュータ可読媒体と適切に呼ばれ得る。たとえば、ソフトウェアが、同軸ケーブル、光ファイバケーブル、ツイストペアケーブル、デジタル加入者線(DSL)、または赤外線、無線、およびマイクロ波などのワイヤレス技術を使用してウェブサイト、サーバ、またはその他の遠隔のソースから送信される場合、同軸ケーブル、光ファイバケーブル、ツイストペアケーブル、DSL、または赤外線、無線、およびマイクロ波などのワイヤレス技術は、任意の非一時的な時間の長さの間、信号が記憶媒体またはデバイスメモリ上の送信チェーンに保持される限り、媒体の定義に含まれる。本明細書において使用される、ディスク(disk)およびディスク(disc)は、コンパクトディスク(CD)、レーザーディスク(登録商標)、光ディスク、デジタル多用途ディスク(DVD)、フロッピー(登録商標)ディスクおよびブルーレイディスクを含み、この場合、ディスク(disk)は、通常、磁気的にデータを再生し、ディスク(disc)は、レーザを用いてデータを光学的に再生する。前述の組合せも、コンピュータ可読媒体の範囲内に含まれるべきである。
【００７１】
本開示についての前述の説明は、当業者が本開示を作成または利用することができるように提供する。本開示への様々な変更形態が当業者には容易に理解されることになり、本明細書で規定する包括的な原理は、本開示の趣旨または範囲から逸脱することなく他の変形形態に適用され得る。したがって、本開示は、本明細書に記載する例および設計に限定されるものではなく、本明細書で開示する原理および新規の特徴に合致する最も広い範囲を与えられるべきである。
【符号の説明】
【００７２】
100  ワイヤレスネットワーク
102  マクロセル
110  eNB
120  UE
130  ネットワークコントローラ
212  データソース
220  送信プロセッサ
230  送信(TX)多出力多入力(MIMO)プロセッサ
232  変調装置
232  復調器
234  アンテナ
236  MIMO検出器
238  受信プロセッサ
239  データシンク
240  コントローラ/プロセッサ
242  メモリ
244  スケジューラ
252  アンテナ
254  復調器
256  MIMO検出器
258  受信プロセッサ
260  データシンク
262  データソース
264  送信プロセッサ
266  TX MIMOプロセッサ
280  コントローラ/プロセッサ
282  メモリ
310  PLMN-ID
320  追加の識別子
800  装置
802  電気的構成要素
804  電気的構成要素
806  電気的構成要素
808  電気的構成要素
810  プロセッサ構成要素
812  バス
814  ネットワークインターフェース構成要素
816  メモリデバイス/構成要素
900  装置
902  電気的構成要素
910  プロセッサ構成要素
912  バス
914  ネットワークインターフェース構成要素
916  メモリデバイス/構成要素
【図１】
0006474793.tif 000003
【図２】
0006474793.tif 000004
【図３Ａ】
0006474793.tif 000005
【図３Ｂ】
0006474793.tif 000006
【図３Ｃ】
0006474793.tif 000007
【図３Ｄ】
0006474793.tif 000008
【図３Ｅ】
0006474793.tif 000009
【図３Ｆ】
0006474793.tif 000010
【図３Ｇ】
0006474793.tif 000011
【図３Ｈ】
0006474793.tif 000012
【図４】
0006474793.tif 000013
【図５】
0006474793.tif 000014
【図６】
0006474793.tif 000015
【図７】
0006474793.tif 000016
【図８】
0006474793.tif 000017
【図９】
0006474793.tif 000018